(57)【要約】      （修正有）【課題】靴かかとが摩滅したとき、かかとの交換など直接修理をせず、摩滅時の処置に修理キッドやビスねじ、用具類は使わず、摩滅部位の修復を簡単、かつ速やかに実施し、修理の時間と経費の節減を図ると共に、かかとを長持ちさせる靴の提供。【解決手段】回転体１の上側を円平歯車状２とし、外周に１本の溝３を設け、この溝へ適合する切り欠き弾力リング５を挿入し、これを囲う本体の上部内側にも対向する円平歯車状を設けると共に、内周にも浅い縦長の溝を形成する。この溝と切り欠け弾力リングの影響作用により、回転体１を確実に噛み合わせ固定する。ビスねじ用具類を一切使用しないで回転体の脱落を完全に防止し、かつ、摩滅部位を角度で３０°毎から自由自在に変位可能とし全面使用可能とした。また、かかと修復は極めて簡単にでき約１０秒以内で処置可能とした。【選択図】図２
0003114514.tif 000002
【実用新案登録請求の範囲】
【請求項１】
回転体（１）の上側に円平歯車状（２）と外周に溝（３）を設け、この溝へ切り欠け弾力リング（５）を挿入し、これを囲う本体（４）の上部内側にも対向する円平歯車状と内周に浅い縦長の溝を設け、切り欠け弾力リングの張力作用で回転体（かかと）を固定し、回転体の脱落防止をした構造を特徴とする靴のかかと。
【考案の詳細な説明】
【技術分野】
【０００１】  本考案は、回転体の上側を円平歯車状とし、これを囲う本体の上部内側で対向する円平歯車状とで噛み合わせ、回転体と本体の溝とで切り欠け弾力リングの張力作用により、回転体の固定をすると共に、かかとの脱落、着脱はしない構造を特徴とする靴かかとである。
【背景技術】
【０００２】  従来、靴の損傷は当然ながら、かかとの後部外側付近の特定部位から偏磨耗は始まり、かかとの修理は靴屋に依頼して新しいのと取り替えるか、又は個人で修理用キッドを購入して偏磨耗部位を修復していたが、何れも時間と経費を使い、煩わしい面があった。【０００３】  上記において、かかとを新らしく取り替えても当然のこと偏磨耗はする。（以後、摩滅と呼称する。）かかと以外は良好でも再々の、かかと摩滅は如何に修理を続けいていくか、否、勿体ないけれど新しい靴を購入するかの課題でもあった。【０００４】  上記は、かかとの摩滅に対し、修理に時間と経費を使うことで、それなりに処置できるけれど、これは一時的な満足に終わっていた。また、実用新案登録第３１０１０９８号の、靴かかとの長期使用構造や、その他にも多様にあるけれど、いずれも、ビスねじ類を使用しているため、処置方法に用具を必要とし、時間も数分は掛かることなど欠点でもあった。【０００５】  本考案のかかとは、上記の欠点などを解消するため、かかとを直接修理する代わりに、、摩滅した部位を移動させて、新らしい、かかと面に変換する。これを一切の用具は使わなくて速やかに処置する構造とすることで課題は解決する。
【考案の開示】
【課題を解決するための手段】
【０００６】  本考案は、図２、図３、図４に示すように回転体の上側を円平歯車状にし外周側に溝を設ける。本体の上部内側に上記と噛み合う円平歯車状を設け、内周側には浅い縦長の溝を形成し、回転体の溝へ適合した切り欠け弾力リングを挿入することで課題は解決する。
【考案の効果】
【０００７】  本考案の靴かかとは、回転体を動かして、摩滅部位を移動させるだけの簡単な操作で、かかとが全面使用可能となるため、一切の修理はしなくて、かかとは長持ちするため、靴に愛着を感じるようになり、かかと以外が損傷するまでは長く履きたくなる効果がある。【０００８】  摩滅時の修理は、回転体を僅かに下げて回転させるだけであり修理の時間と経費を節約できる効果があり、図４に示すように円平歯車状の歯数を、時計文字盤のように１２個とすると回転体の角度は３０°毎から何回転でも自由自在に変位できる効果も生まれた。また、歯数を１８個とすると、さらに小さく角度は２０°毎にでも変位調節が可能となる。【０００９】  図２、図５、図６に示すように本体の上側の浅い溝に切り欠け弾力リングが嵌っているときは、円平歯車状も噛み合っている。靴が地面から離れ空中にあるときも、切り欠け弾力
0003114514.tif 000003
【００１０】  図３に示すように本体の浅い縦長の下側の溝に切り欠け弾力リングが嵌っているときは、円平歯車状は離脱している。この位置で回転体は円周方向には容易に動く。この位置から押し上げると図２のようになる。図５に示すように切り欠け弾力リングの断面が四角い場合は、接触面積が大きく張力で回転体は上段から自然に降下しない効果がある。図６に示すように切り欠け弾力リングの断面が丸い場合は、本体の浅い溝の中間に設けた小さな凸状の仕切り帯（７）が少しだけ邪魔になるけれど、０．１ｍｍと微々たるもので乗り越えは容易である。逆に上段から下段には凸状仕切り帯が少し邪魔し、張力の影響もあり自然には回転体は下段側にずれ落ちない。更に、切り欠け弾力リングが下段側にあるとき、双方の溝下の角の中間に弾力リングが居座っているため、物理的に下に抜けない効果がある。【００１１】  、回転体が摩滅したときの対応処置が、切り欠け弾力リングが溝に嵌っているだけの簡単な構造であるため、いつでも、何処でも簡単に少し下げて回転するだけの、位置変換による修復が極めて簡単、かつ速みやかに（１０秒以内で処置可能）できる効果が生まれた。
【考案を実施するための最良の形態】
【００１２】  図２、図３、図４に示すように回転体の上側に円平歯車状を設ける。本体の上部内側に対向する円平歯車状を形成し、歯の高さは、約１．８ｍｍくらいで、図４に示すように円平歯車状の歯数は、時計文字盤のように１２個を設ける。もっと多く１８個にしても構わない。或いは円平歯車状の変わりに凸凹状を設け突起と窪みとで嵌合させても構わない。【００１３】  切り欠け弾力リングの張力は回転体が地面を離れ、空中にあるとき、本体の浅い溝の上側から回転体が重力で自然にずれ落ちない程度の張力があることが望ましい。また回転体と本体との隙間は、半径で約０．１ｍｍくらいが望ましい。【００１４】  図４に示すように回転体の外周に溝を設け、深さ約２ｍｍ以上、幅は約１．８ｍｍくらいとし、本体の内周にも、縦幅が約３．６ｍｍ深さ約０．９ｍｍくらいの浅い溝を形成するまた、図６に示すように切り欠け弾力リングの断面が丸い場合は、この溝の中間に約０・１ｍｍくらいの凸状仕切り帯（７）を形成し、溝を上下２段に分けた形態が望ましい。（丸い切り欠け弾力リングは外周側の接触面積が少ないため、下段側へのずれ落ちを防止する）【００１５】  切り欠け弾力リングを回転体へ嵌め、埋没状態での切り欠け先端部の隙間は、約１ｍｍくらいとし、切り欠け弾力リングの断面直径は、約１．８ｍｍくらいが望ましい。【００１６】  図１に示すように底面から見て、回転体は後側から前へ真横より少し前側までの約５分の３くらいは露呈しているが、前方の約５分の２くらいは本体で囲い、回転体の底面直径より、本体の前下の横幅は約２〜３ｍｍくらい小さい形態が望ましい。（摘み易い事と軽減のため。）又は、回転体の下側前縁を囲わずに丸出し露呈のままでも構わない。回転体を囲う本体の厚みは、約５〜６ｍｍくらいが望ましい。回転体の下側の厚みは、適宜で良い。【００１７】  図２、図３に示すように、本体の内周下側に厚み、約０．９ｍｍくらいで軟質系樹脂材などで、接着面側にギザギザの付いた切り欠け圧着環を嵌め込み、強力に圧着固定させて浅い溝を形成する。と共にこの切欠け圧着環の内周下側縁と回転体の上面外周縁を丸く削るのが望ましい。約半径０．５ｍｍくらいのＲを付けた形態が望ましい。（最初に切り欠け弾力リングを嵌めた回転体を挿入し易く成型する。）また、四角い、切り欠け弾力リングの外周側上下の角縁も少し削り丸く成型するのが望ましい。）
【実施例１】
【００１８】  回転体を靴本体へ挿入する前に切り欠け弾力リングを回転体の溝に嵌め込む。次ぎに切り欠け弾力リングを外周から中心へ圧縮、埋没させながら押し込み、弾力リングの切り欠け先端部の隙間が１ｍｍくらいとなったことを確認しながら本体へ挿入する。
【実施例２】
【００１９】  回転体を本体へ少しずつ押し込むと、切り欠け弾力リングは本体の浅い溝と接し弾力リングの半分約０．９ｍｍが張力作用で嵌る。切り欠け弾力リングの半分は回転体の溝に残っているので回転体を更に押し上げると円平歯車状は互いに噛み合う。このとき図３に示すように回転体と本体に隙間が約１．８ｍｍくらい開いているときは、僅かに回転体を円周方向へ動かしつつ押し上げると歯は嵌る。（実施例１、実施例２は製造業者側実施となる。）
【実施例３】
【００２０】  回転体が摩滅したとき、その部位を移動する方法は、回転体の左右下側縁を摘まみ、下側へ（約１．８ｍｍくらい引き抜くようにすると、本体の浅い溝に嵌っていた切り欠け弾力リングは、下側の浅い溝の角へ引っ掛かり下がらなくなる。その位置で、回転体を自由自在に何れの円周方向にでも容易に回転させることができるので摩滅部位を変位させる。これだけの操作で、かかとの摩滅修復は終了する。そして押し上げると良い。このとき本体の下側縁と回転体の間に隙間（図３に示すように約１．８ｍｍくらい開いたままの状態を認めたときは、円平歯車状は噛み合っていないと判断し、少しだけ回転体を円周方向に
0003114514.tif 000004
【実施例４】
【００２１】  図４に示すように、回転体の中心に設けた回転体軽減穴は摩滅時の処置補助用も兼ねている。摩滅時この中空穴に人指し指を入れ、親指で外周を摘むようにして操作もできる。
【産業上の利用可能性】
【００２２】  通常の人で、靴は礼装用と通勤用など、最低でも３〜４足は保有している。靴は外見上、高級品でも、後ろから靴を見ると、かかとが摩滅していたのでは立派な靴でも品格を失ないかねない。本考案の靴かかとは摩滅時の処置に用具は一切使用しないため修理の煩わしさがない。何よりも修複する時間が短かく、約１０秒以内で極めて簡単に摩滅部分を変位させることで全面使用が可能であるため、かかとが通常の数倍以上も長持ちして靴全体を長く使用でき、もっと履き歩きたくなる面白い靴として本考案の靴利用者は多いと考える。
【図面の簡単な説明】
【００２３】
【図１】靴の底面図
【図２】Ａ−Ａ線の断面拡大図（回転体固定状態図）
【図３】Ａ−Ａ線の断面拡大図（回転可能状態図）
【図４】回転体の斜視図
【図５】本体溝の要部拡大図
【図６】本体溝の要部拡大図（丸い、切り欠け弾力リング使用状態図）
【符号の説明】
【００２４】１  回転体
２  円平歯車状
３・３’＝  溝
４  本体
５・５’  切り欠け弾力リング
６  切り欠け圧着環
７  凸状仕切り帯
８  回転体軽減穴
【図１】
0003114514.tif 000005
【図２】
0003114514.tif 000006
【図３】
0003114514.tif 000007
【図４】
0003114514.tif 000008
【図５】
0003114514.tif 000009
【図６】
0003114514.tif 000010
【手続補正書】
【提出日】平成17年4月22日(2005.4.22)
【手続補正１】
【補正対象書類名】明細書
【補正対象項目名】００２２
【補正方法】変更
【補正の内容】
【００２２】  靴は、通常の大人で礼装用、通勤用、勤務作業用短靴など最低でも、３〜 ４足は保有している。靴は外見上高級品でも、かかとが摩滅していたのでは立派な靴でも 品格を失いないかねない。特に外交関係者、官公庁、接客営業関係者、現場作業従事者、 刑事警備員など、幅広く多くの者が靴を必要不可欠としている。本考案の靴かかとは、摩 滅時の修複が極めて簡単かつ、通常の数倍以上も長持ちするため、靴全体を長く使用でき ることになり、もっと履き、歩きたくなる面白い靴として利用者は多いと考える。【手続補正書】
【提出日】平成17年5月2日(2005.5.2)
【手続補正１】
【補正対象書類名】明細書
【補正対象項目名】０００５
【補正方法】追加
【補正の内容】
【０００５】  本考案の靴かかとは、上記の欠点などに鑑みて創案したもので、ビスねじ、用具類は一切使用せず、固定法は弾力リングを使用し嵌め合う構造として課題は解決する。